(57)【特許請求の範囲】
【請求項１】
鉛直面と水平面とが連続した、鉛直方向の断面がＬ型の鋼材と、Ｌ型の鋼材の鉛直面に挿通して締結する屈曲ボルトと、屈曲ボルトを締結するナットとからなり、Ｌ型の鋼材の水平面の下面側には、鉛直方向に長く、一定の間隔で貫通孔が設けられた、アンカーボルトの高さ調整用の鋼材が垂設されているとともに、Ｌ型の鋼材の水平面に形成された貫通孔に、高さ調整用の鋼材と同軸方向に、アンカーボルトの高さ調整用のボルトが挿通されていることで、同一軸上で複数の高さ調整を可能にすることを特徴とするアンカーボルト調整治具。
【請求項２】
鉛直面と水平面とが連続した、鉛直方向の断面がＬ型の鋼材と、Ｌ型の鋼材の鉛直面に挿通して締結する屈曲ボルトと、屈曲ボルトを締結するナットとからなり、Ｌ型の鋼材の水平面の下面側には、鉛直方向に長く、一定の間隔で貫通孔が設けられた、アンカーボルトの高さ調整用の鋼材が垂設されているとともに、Ｌ型の鋼材の水平面に形成された貫通孔に、高さ調整用の鋼材と同軸方向に、アンカーボルトの高さ調整用のボルトが挿通されていることで、同一軸上で複数の高さ調整を可能にするアンカーボルト調整治具がアンカーボルト支持装置に立設する支柱部材に連結されていることを特徴とするアンカーボルト支持装置。
【発明の詳細な説明】
【技術分野】
【０００１】
本発明は、基礎コンクリートに埋設するアンカーボルトを、基礎地盤（捨てコンクリート）上に設置したアンカーボルト支持装置（アンカーボルト設置用架台）に取り付けて固定する際に使用する調整治具及びこれを用いたアンカーボルト支持装置に関する。
【背景技術】
【０００２】
建築物の基礎コンクリート内にアンカーボルト支持装置と共に埋設するアンカーボルトは、基礎コンクリートと、基礎コンクリート上に建てられる構造物とをつなぎ、構造物を基礎コンクリートに固定する重要な役割を果たす。
しかし、建築物の規模等に応じて使用されるアンカーボルトは様々であり、アンカーボルトの本数や柱脚の大きさが異なる場合、それに応じて、アンカーボルトを挿通する孔の大きさや数、間隔等が異なる複数の定着板が必要になる。
それら定着板をアンカーボルト支持装置のベース部に立設する支柱部材（ポスト）に取り付けるためには、現場での溶接作業が必要であった。
【０００３】
そこで、定着板を支柱部材に取り付ける際に、現場での溶接作業が発生しないと共に、アンカーボルトの本数や柱脚の大きさが異なってもアンカーボルトの径が同一の場合には、同一の定着板を使用して、簡易な構造で支持装置への取り付けを容易にするアンカーボルト設置構造に関する発明が開示されている（特許文献１）。
【０００４】
この発明によれば、アンカーボルト支持装置のベース部に立設する支柱部材（ポスト）に定着板を取り付ける際、現場での溶接作業が発生しないと共に、アンカーボルトの本数や柱脚の大きさが異なっても、アンカーボルトの径が同一の場合には同一の定着板を使用することができる。
【先行技術文献】
【特許文献】
【０００５】
【特許文献１】特開２００３−３４２９６０号公報
【発明の概要】
【発明が解決しようとする課題】
【０００６】
しかし、特許文献１に係る発明によっても、同一の定着板を使用できるのは、アンカーボルトの径が同一である場合に限られる。
つまり、アンカーボルトの径が異なる場合は、同一の定着板を使用することができない。
【０００７】
また、アンカーボルトは、その上端が予め設定された位置に基礎コンクリートから突出するように、アンカーボルト支持装置のベース部に立設する支柱部材（ポスト）に対して精度良く設置することが求められているため、設置位置を調整できることが極めて重要になるのだが、特許文献１に係る発明では、設置位置を調整することはできない。
【０００８】
そこで、本発明は、上記課題に鑑み、径が異なるアンカーボルトに対しても使用でき、さらにアンカーボルトの設置位置の調整が可能な調整治具及びこれを用いたアンカーボルト支持装置を提供することを課題とする。
【課題を解決するための手段】
【０００９】
本発明は、上記課題を解決するため、次の技術的手段を講じている。
【００１０】
本発明は、
鉛直方向の断面がＬ型の、鉛直面と水平面とが連続した鋼材と、
鋼材の鉛直面に挿通して締結する屈曲ボルトと、
屈曲ボルトを締結するナットとからなる
ことを特徴とするアンカーボルト調整治具である。
【００１１】
本発明に係るアンカーボルト調整治具は、
アンカーボルト支持装置のベース部に立設する支柱部材とアンカーボルトの下端部との間に介在させることで、アンカーボルトの設置位置の調整を図る治具である。
【００１２】
アンカーボルト調整治具は、鋼材、屈曲ボルト、ナットからなる。
鋼材は、鉛直面と水平面とが連続し、鉛直方向の断面形状がＬ型に形成された鋼材であり、鋼材の水平面は、アンカーボルトの下端部を載置するための面であり、鋼材の鉛直面は、屈曲ボルトとによってアンカーボルトの下端部を挟持するための面である。
鋼材の鉛直面は、屈曲ボルトの先端を挿通させる挿通孔が形成されており、その孔に屈曲ボルトの先端を挿通させて屈曲ボルトを締結する。
挿通孔は、屈曲ボルトの先端のそれぞれを挿通する計２個の孔を形成することもできるし、屈曲ボルトの先端をどの位置でも締結できるように計１個の長孔のみを形成することもできる。
この鋼材は、例えば、Ｌ型アングルを一定の幅で切断したものを使用することができる。
屈曲ボルトは、アンカーボルトの周りを囲うようにＵ字状やL字状に屈曲した形状のボルトであり、鋼材との間でアンカーボルトを挟持してナットで締結するため、先端にはネジ溝が形成されている。
ナットは、屈曲ボルトとによってアンカーボルトを挟持して締結するのに用いる。
【００１３】
アンカーボルト調整治具は、鋼材の鉛直面に沿うように、鋼材の水平面上にアンカーボルトの下端部を載せ、その状態で、アンカーボルトを鋼材の鉛直面と屈曲ボルトとで挟持して締結する。
【００１４】
また、アンカーボルト調整治具は、鋼材の鉛直面の水平面側とは反対側の面で、アンカーボルトの下端部を挟持することもできる。
【００１５】
なお、鋼材にＬ型アングルを用いる場合、Ｌ型アングルは、鉛直面と水平面の間の内角部分が湾曲しているため、挟持したアンカーボルトとの間で、Ｌ型アングルの鉛直面または水平面との間に隙間が生じてしまう。
そこで、Ｌ型アングルの鉛直面または水平面とアンカーボルトとの間に、スペーサーを介在させることで、この問題を解消できる。
スペーサーは、Ｌ型アングルの鉛直面と水平面の間の内角部分が原因となって生じるアンカーボルトとの隙間を埋めることができれば良いので、どのような材料を用いても良く、例えば、ナットや板材を用いることができる。
スペーサーは、溶接によって鋼材に固着させることもできる。
【００１６】
本発明に係るアンカーボルト調整治具は、アンカーボルトを締結する屈曲ボルトの大きさを替えるだけで、径が異なるアンカーボルトに対しても使用できるため、アンカーボルトの下端部の太さ（径の大きさ）に影響を受けずに使用できるが、締結するアンカーボルトによっては、例えばＵボルト等の屈曲ボルトで締結するだけではアンカーボルトがぐらついたり傾いたりしてしまうことがある。
そのような場合は、アンカーボルト調整治具の鉛直面とアンカーボルト（下端部）の間に矯正部材を挟むことで、屈曲ボルトで締結したアンカーボルトがぐらついたり傾いたりすることを防ぐことができる。
矯正部材は、例えば、ゴムやスポンジなどの弾性部材や、板状の木材、鋼材などを使用できる。
矯正部材は、単に、アンカーボルト調整治具の鉛直面と、アンカーボルト下端部との隙間に挟むことで、アンカーボルト調整治具の円直面と、アンカーボルト下端部とが接する面積を増やし、密着性を高めることで、アンカーボルトのぐらつきや傾きを防ぐこともできるし、アンカーボルト下端部に沿って、板状の部材を、アンカーボルト調整治具の鉛直面とアンカーボルト下端部との隙間に差し込むことで、アンカーボルトがぐらついたり傾く空間を無くすことで、ぐらつきや傾きを防ぐこともできる。
【００１７】
アンカーボルト調整治具を下端に取り付けたアンカーボルトは、アンカーボルト支持装置のベース部に立設させた支柱部材同士を水平方向に連結したフレームの上に載置することができ、そのフレームの上でアンカーボルトをスライドさせることで、水平方向の位置調整を図ることができる。
【００１８】
アンカーボルト調整治具は、１本のアンカーボルトに対してだけでなく、複数本のアンカーボルトに対しても使用できる。
例えば、２本のアンカーボルトに対しては、水平方向に長い鉛直面と水平面を有する鋼材からなる１個のアンカーボルト調整治具によって、アンカーボルトそれぞれを１個の屈曲ボルトで締結できる。
３本のアンカーボルトでも、それらのアンカーボルトの軸が同一直線上にあれば、上記と同様に水平方向に長い鉛直面と水平面を有する鋼材からなる１個のアンカーボルト調整治具を用いることができるし、それらのアンカーボルトの軸が同一直線上に無い場合でも、例えば、直角に屈曲した水平方向に長い鉛直面と水平面を有する鋼材からなる１個のアンカーボルト調整治具によってアンカーボルトそれぞれを１個の屈曲ボルトで締結できる。
【００１９】
本発明は、
鉛直方向の断面がＬ型の、鉛直面と水平面とが連続した鋼材と、
鋼材の鉛直面に挿通して締結する屈曲ボルトと、
屈曲ボルトを締結するナットとからなり、
鋼材の水平面には貫通孔が形成され、
貫通孔にはアンカーボルトの高さ調整用のボルトが挿通されている
ことを特徴とするアンカーボルト調整治具である。
【００２０】
本発明に係るアンカーボルト調整治具は、
アンカーボルト調整治具に挿通しているボルトによって、アンカーボルトの高さ調整を行うことができるようにしたものである。
【００２１】
アンカーボルト調整治具の水平面（鋼材）には、貫通孔が設けられ、貫通孔の内周にはネジ溝が形成されている。
この貫通孔に、ネジ溝が形成されたボルトを挿通する。
ボルトは、全ネジボルトや、スタッドボルトを用いることができる。
ボルトは、貫通孔を螺進させることで鉛直方向に移動する。
また、ボルトには、ナットを取り付けることができ、ナットは、ボルト同様、螺進させることでボルトの軸線上（鉛直方向）を移動する。
【００２２】
本発明に係るアンカーボルト調整治具は、上記した、ボルト単体による鉛直方向の移動と、ボルトに取り付けたナットによる鉛直方向の移動とによって、アンカーボルトの高さ調整を行うことができる。
【００２３】
まず、ボルト単体の鉛直方向の移動によるアンカーボルトの高さ調整は、次のように行う。
ボルトを、鋼材の水平面に形成した貫通孔に挿通する。
貫通孔を螺進させると、ボルトは鉛直方向に移動する。
ボルトを鉛直上方向に移動させると、ボルトはアンカーボルトの下端側から、アンカーボルトを鉛直上方向に押し上げることになる。
この押し上げによって、アンカーボルトの鉛直方向の位置（高さ）を調整でき、ボルトを螺進させるだけで、無段階に高さ調整できる。
【００２４】
次に、ボルトに取り付けたナットの鉛直方向の移動によるアンカーボルトの高さ調整は、次のように行う。
ナットは、鋼材の水平面に形成した貫通孔に挿通されたボルトに対し、鉛直下方向から取り付ける。
ナットは、ボルト上を螺進させることで、鉛直方向に移動する。
このナットとボルトを取り付けたアンカーボルト調整治具は、アンカーボルト支持装置のベース部に立設する支柱部材に連結する際に、アンカーボルトの高さ調整を行う。
例えば、支柱部材にＬ型アングルを用いる場合、ボルトに取り付けたナットが、Ｌ型アングルの上端に載るようにして、アンカーボルト調整治具をＬ型アングルに連結する。
この状態で、ナットを螺進させてナットの位置を鉛直方向に移動させることで、アンカーボルト調整治具の高さ、つまり、アンカーボルトの高さを調整することができる。
このナットの鉛直方向の移動によって、アンカーボルトの鉛直方向の位置（高さ）を調整でき、ナットを螺進させるだけで、無段階に高さ調整できる。
【００２５】
本発明は、
鉛直方向の断面がＬ型の、鉛直面と水平面とが連続した鋼材と、
鋼材の鉛直面に挿通して締結する屈曲ボルトと、
屈曲ボルトを締結するナットとからなり、
鋼材の水平面の下面側には、
鉛直方向に長く、一定の間隔で貫通孔が設けられた、アンカーボルトの高さ調整用の鋼材が垂設されている
ことを特徴とするアンカーボルト調整治具である。
【００２６】
本発明に係るアンカーボルト調整治具は、
アンカーボルト支持装置のベース部に立設する支柱部材に連結した際に、支柱部材との間で、アンカーボルトの高さ調整を行うことができるようにしたものである。
【００２７】
アンカーボルト調整治具の水平面には、その下面側に、鉛直方向に長い鋼材が垂設されている。
この鋼材のアンカーボルト調整治具への取り付けは、溶接によって行うことができる。
鋼材は、板状のものでも良いし、断面がＬ型のアングルでも良い。
鋼材には、鉛直方向に一定の間隔で貫通孔が設けられている。
【００２８】
このアンカーボルトの高さ調整用の鋼材は、アンカーボルト支持装置のベース部に立設する支柱部材と連結した状態で、アンカーボルトの高さを調整できる。
例えば、支柱部材に、ボルト挿通用の孔が形成されたＬ型アングルを用いる場合、アンカーボルトの高さ調整用の鋼材（板状の鋼材でもＬ型アングルでも良い）を支柱部材（Ｌ型アングル）に重ね合わせ、支柱部材に形成された孔と、アンカーボルトの高さ調整用の鋼材に設けられた貫通孔とを合わせてボルトとナットで締結する。
アンカーボルトの高さ調整用の鋼材には、予め鉛直方向に一定の間隔で貫通孔が設けられているため、任意の貫通孔（高さ）の位置でボルトとナットを使い、支柱部材と連結することができる。
このようにして、支柱部材との連結の際に、予め一定の間隔で設けられた貫通孔の位置によって、溶接を使わずに、アンカーボルト調整治具の高さ、つまりアンカーボルトの高さを調整できる。
【００２９】
本発明は、
鉛直方向の断面がＬ型の、鉛直面と水平面とが連続した鋼材と、
鋼材の鉛直面に挿通して締結する屈曲ボルトと、
屈曲ボルトを締結するナットとからなり、
鋼材の水平面には貫通孔が形成され、
貫通孔にはアンカーボルトの高さ調整用のボルトが挿通されているとともに、
鋼材の水平面の下面側には、
鉛直方向に長く、一定の間隔で貫通孔が設けられた、アンカーボルトの高さ調整用の鋼材が垂設されている
ことを特徴とするアンカーボルト調整治具である。
【００３０】
本発明に係るアンカーボルト調整治具は、
アンカーボルト支持装置のベース部に立設する支柱部材に連結する際に、支柱部材との間でアンカーボルトの高さ調整を行うとともに、アンカーボルト調整治具によっても、アンカーボルトの高さ調整を行うことができるものである。
【００３１】
アンカーボルト調整治具の鋼材の水平面には、その下面側に、鉛直方向に長い鋼材が垂設されている。
この鋼材のアンカーボルト調整治具への取り付けは、溶接によって行うことができる。
鋼材は、板状のものでも良いし、断面がＬ型のアングルでも良い。
鋼材は、鉛直方向に一定の間隔で貫通孔が設けられている。
【００３２】
このアンカーボルトの高さ調整用の鋼材は、アンカーボルト支持装置のベース部に立設する支柱部材と連結した状態で、アンカーボルトの高さを調整できる。
例えば、支柱部材に、ボルト挿通用の孔が形成されたＬ型アングルを用いる場合、アンカーボルトの高さ調整用の鋼材（板状の鋼材でもＬ型アングルでも良い）を支柱部材（Ｌ型アングル）に重ね合わせ、支柱部材に形成された孔と、アンカーボルトの高さ調整用の鋼材に設けられた貫通孔とを合わせてボルトとナットで締結する。
アンカーボルトの高さ調整用の鋼材には、予め鉛直方向に一定の間隔で貫通孔が設けられているため、任意の貫通孔（高さ）の位置でボルトとナットを使い、支柱部材と連結することができる。
このようにして、支柱部材との連結の際に、予め一定の間隔で設けられた貫通孔の位置によって、溶接を使わずに、アンカーボルト調整治具の高さ、つまりアンカーボルトの高さを調整できる。
【００３３】
しかし、この場合の高さ調整は、アンカーボルトの高さ調整用の鋼材に設けられた貫通孔の位置によってしかできない。
現場では、もっと小さい範囲でアンカーボルトの高さ調整を行う必要がある。
そこで、アンカーボルト調整治具の鋼材の水平面に貫通孔を形成し、この貫通孔にアンカーボルトの高さ調整用のボルトを挿通することで、ボルトによるアンカーボルトの高さ調整を可能にした。
【００３４】
ボルトは、貫通孔を螺進させると鉛直方向に移動する。
このように、ボルトを鉛直上方向に移動させると、ボルトはアンカーボルトの下端側から、アンカーボルトを鉛直上方向に押し上げることになる。
この押し上げによって、アンカーボルトの鉛直方向の位置（高さ）を調整でき、ボルトを螺進させるだけで、無段階に高さ調整できる。
【００３５】
本発明は、
前記のいずれか一のアンカーボルト調整治具が
アンカーボルト支持装置に立設する支柱部材に連結されている
ことを特徴とするアンカーボルト支持装置である。
【００３６】
本発明に係るアンカーボルト支持装置は、前記のアンカーボルト調整治具のいずれか一が、アンカーボルト支持装置に立設する支柱部材と連結されたものである。
この支持装置に連結されたアンカーボルト調整治具によって、径や本数が異なる種々のアンカーボルトに対しても、一のアンカーボルト調整治具のみによって、アンカーボルトの高さ調整が容易にできる。
【発明の効果】
【００３７】
本発明では以下の効果を奏する。
１）アンカーボルトの径が異なる場合でも、屈曲ボルトの大きさを替えるだけで、アンカーボルトを挟持することができることから、アンカーボルトの径の大きさに影響を受けずに、アンカーボルト調整治具を使用することができる。
２）アンカーボルト調整治具を、アンカーボルトの設置用架台の上や、アンカーボルト支持装置のベース部上に立設させた支柱部材同士を水平方向に連結したフレームの上に載置した状態で、アンカーボルト調整治具ごとアンカーボルトをスライドさせることができ、それによって、アンカーボルトの水平方向の位置を調整できる。
３）アンカーボルト調整治具に取り付けたアンカーボルトの高さ調整用のボルトまたは鋼材を使うことで、アンカーボルトの鉛直方向の位置を調整できる。
４）アンカーボルト調整治具がアンカーボルトの下端部（ネジ部分）を挟持するだけの簡易な形状であるため、アンカーボルト調整治具とアンカーボルトとの隙間に打設されたコンクリートが十分に入り込み、むしろ、アンカーボルト調整治具を使うことで、その水平面部分によって、より強い引き抜き耐力（垂直方向の力）を得られるようになる。
５）アンカーボルト調整治具１種類だけで、様々なアンカーボルトにも施工でき、アンカーボルトの設置位置を簡単に調整できるアンカーボルト調整治具及びこれを用いたアンカーボルト支持装置を提供できる。
【図面の簡単な説明】
【００３８】
【図１】アンカーボルト調整治具の一実施例の側方図
【図２】アンカーボルト調整治具の一実施例の側方図
【図３】図２のアンカーボルト調整治具の別の実施例の側方図
【図４】図２のアンカーボルトの上方斜視図
【図５】図３のアンカーボルトの上方斜視図
【図６】アンカーボルト調整治具の一実施例の側方図
【図７】矯正部材を用いたアンカーボルト調整治具の一実施例の側方図
【図８】図７のアンカーボルト調整治具の断面図
【図９】支柱部材上のフレームに載置した状態のアンカーボルト調整治具を示す図
【図１０】ボルトを取り付けたアンカーボルト調整治具の支柱部材との連結例を示す図
【図１１】ボルトを取り付けたアンカーボルト調整治具の支柱部材との連結例を示す図
【図１２】鋼材を取り付けたアンカーボルト調整治具の支柱部材との連結例を示す図
【図１３】ボルト及び鋼材を取り付けたアンカーボルト調整治具の支柱部材との連結例を示す図
【図１４】アンカーボルト調整治具が２本のアンカーボルトを挟持した一実施例の平面図
【図１５】アンカーボルト調整治具が３本のアンカーボルトを挟持した一実施例の平面図
【発明を実施するための形態】
【００３９】
図１及び２は、アンカーボルト調整治具を取り付けた一実施例のアンカーボルトの側方図であり、図３は、図２のアンカーボルトと鋼材の水平面の間にナットを介在させたアンカーボルト調整治具の一実施例の側方図である。
また、図４及び５は、それぞれ図２及び３のアンカーボルトの上方斜視図である。
【００４０】
アンカーボルト調整治具１０は、鋼材１１、屈曲ボルト１２、ナット１３からなる。
鋼材１１は、鉛直面１１aと水平面１１ｂとが連続し、鉛直方向の断面がＬ型に形成された鋼材であり、鋼材１１の水平面１１ｂは、アンカーボルトの下端部１４を載置するための面であり、鋼材１１の鉛直面１１ａは、屈曲ボルト１２とによってアンカーボルトの下端部１４を挟持するための面である。
鋼材１１の鉛直面１１ａは、屈曲ボルト１２の先端を挿通させる挿通孔が形成されており、その孔に屈曲ボルト１２の先端を挿通させて屈曲ボルト１２を締結する。
挿通孔は、屈曲ボルト１２の先端のそれぞれが挿通するように複数の孔を形成することもできるし、屈曲ボルト１２の先端をどこで締結することもできるように計１個の長孔のみを形成することもできる。
鋼材１１は、例えば、Ｌ型アングルを一定の幅で切断したものを使用することができる。
屈曲ボルト１２は、アンカーボルト下端部１４の周りを囲うようにＵ字状やL字状に屈曲した形状のボルトであり、鋼材１１との間でアンカーボルト下端部１４を挟持するため、先端にはネジ溝が形成されている。
ナット１３は、屈曲ボルト１２を締結するのに用いる。
【００４１】
アンカーボルト調整治具１０は、鋼材１１の鉛直面１１ａに沿うように、鋼材１１の水平面１１ｂ上にアンカーボルトの下端部１４を載せ、その状態で、鋼材１１の鉛直面１１ａとの間でアンカーボルトの下端部１４を挟持するように屈曲ボルト１２で締結する。
【００４２】
例えば、鋼材１１にＬ型アングルを用いる場合、アングルは、鉛直面１１ａと水平面１１ｂの間の内角部分が湾曲した形状をなしているため、アンカーボルトの下端部１４は、鉛直面１１ａとの間に隙間が生じるか（図２）、水平面１１ｂとの間に隙間が生じてしまう。
そこで、Ｌ型アングル（鋼材１１）の鉛直面１１ａまたは水平面１１ｂとアンカーボルト下端部１４との間に、スペーサー１５を介在させることができる（図３）。
スペーサー１５は、鋼材１１の鉛直面１１ａと水平面１１ｂの間の内角部分の幅を埋めることができれば良いので、どのような材料でも用いることもでき、例えば、ナットや板材を用いることができる。
スペーサー１５は、鋼材１１に溶接して固定することもできる。
【００４３】
また、アンカーボルト調整治具１０は、図６のように、鋼材１１の水平面１１ｂ側とは反対側で、鋼材１１の鉛直面１１ａをアンカーボルトの下端部１４に当接させて、鋼材１１の鉛直面１１ａとの間でアンカーボルトの下端部１４を挟持することもできる。
【００４４】
アンカーボルト調整治具１０は、屈曲ボルトで締結したアンカーボルトがぐらついたり傾いたりすることがないように、アンカーボルトの下端部１４との間に、矯正部材１６を挟むこともできる。
矯正部材１６は、ゴムやスポンジなどの弾性部材や、板状の木材、鋼材などを使用できる。
矯正部材１６に、例えば、ゴムやスポンジなどの弾性部材を用いる場合、単に、アンカーボルト調整治具１０の鉛直面１１ａと、アンカーボルト下端部１４との隙間に矯正部材１６としての弾性部材を挟むことで、アンカーボルト調整治具１０の鉛直面１１ａとアンカーボルト下端部１４とが接する面積を増やし、密着性を高めることで、アンカーボルトのぐらつきや傾きを防ぐこともできるし、板状の部材を用いる場合、図７及び８のように、アンカーボルト下端部１４に沿って、アンカーボルト調整治具の鉛直面１１ａとアンカーボルト下端部１４との隙間に固定して遊び（空間）を無くすことによって、ぐらつきや傾きを防ぐこともできる。
【００４５】
アンカーボルト調整治具１０を取り付けたアンカーボルト１４は、図９のように、アンカーボルト支持装置のベース部に立設させた支柱部材２０同士を水平方向に連結したフレーム２１の上に載置することができ、そのフレーム２１の上でアンカーボルトをスライドさせることで、アンカーボルトの水平方向の位置調整を図ることができる。
【００４６】
図１０及び１１は、アンカーボルトの高さ調整用のボルトを挿通したアンカーボルト調整治具の一実施例を示した図である。
【００４７】
アンカーボルト調整治具１０の水平面１１ｂには、貫通孔が設けられ、貫通孔の内周にはネジ溝が形成されている。
この貫通孔には、ネジ溝が形成されたボルト３０が挿通されており、ボルト３０を螺進させることでボルト３０が鉛直方向に上下動するようになっている。
このように、ボルト３０が鉛直方向に移動することで、ボルト３０が、ボルト３０上に位置するアンカーボルト１４を、その下端側から押し上げ、アンカーボルトを上下に移動させることで、アンカーボルトの高さ（鉛直方向の位置）を調整できる。
ボルト３０は、全ネジボルトや、スタッドボルトを用いることができる。
【００４８】
また、アンカーボルト調整治具１０の貫通孔に挿通したボルト３０には、ナット３１が取り付けられており、このナット３１の位置を鉛直方向に移動させることができる。
アンカーボルト調整治具１０は、ボルト３０に取り付けられたナット３１が、アンカーボルト支持装置のベース部に立設する支柱部材（Ｌ型アングル）２０上に載るようにして、支柱部材（Ｌ型アングル）２０に連結されている。
この状態で、ナット３１を螺進させて、ナット３１の位置を鉛直方向に移動させて、アンカーボルト調整治具１０と支柱部材２０とが連結する高さ、つまり、アンカーボルト１４の高さを調整できる。
ボルト３０は、支柱部材２０であるＬ型アングルの内角側に宛がい、Ｌ字状の屈曲ボルト３２で支柱部材２０であるＬ型アングルに挟持して締結されている。
これにより、溶接を使わずに、アンカーボルト調整治具１０をＬ型アングルに固定することができる。
【００４９】
図１２は、アンカーボルトの高さ調整用の鋼材を取り付けたアンカーボルト調整治具の一実施例を示した図である。
【００５０】
アンカーボルト調整治具１０の水平面１１ｂには、その下面側に、鉛直方向に長いアンカーボルトの高さ調整用の鋼材４０が垂設されている。
アンカーボルトの高さ調整用の鋼材４０のアンカーボルト調整治具１０への取り付けは、溶接によって行うことができる。
アンカーボルトの高さ調整用の鋼材４０は、板状のものでも良いし、図１２のように、断面がＬ型のアングルでも良い。
アンカーボルトの高さ調整用の鋼材４０は、鉛直方向に一定の間隔で貫通孔４１が設けられている。
【００５１】
アンカーボルトの高さ調整用の鋼材４０は、アンカーボルト支持装置のベース部に立設する支柱部材２０との連結に際して、アンカーボルトの高さを調整できる。
つまり、アンカーボルトの高さ調整用の鋼材４０を、支柱部材（Ｌ型アングル）２０に重ね合わせ、支柱部材２０に形成されたボルト貫通用の孔と、アンカーボルトの高さ調整用の鋼材に設けられた貫通孔４１とを合わせてボルトとナットで締結する。
アンカーボルトの高さ調整用の鋼材４０には、予め鉛直方向に一定の間隔で貫通孔４１が設けられているため、任意の貫通孔（高さ）の位置でボルトとナットを使い、支柱部材２０と連結することができる。
このようにして、支柱部材２０との連結の際に、予め一定の間隔で設けられた貫通孔４１の位置によって、溶接を使わずに、アンカーボルト調整治具１０の高さ、つまりアンカーボルト１４の高さを調整できる。
【００５２】
図１３は、アンカーボルトの高さ調整用のボルトとアンカーボルトの高さ調整用の鋼材とが取り付けられたアンカーボルト調整治具の一実施例を示した図である。
【００５３】
アンカーボルト調整治具１０の水平面１１ｂには、その下面側に、鉛直方向に長い、アンカーボルトの高さ調整用の鋼材４０が垂設されている。
鋼材４０のアンカーボルト調整治具１０への取り付けは、溶接によって行うことができる。
鋼材４０は、平板状のものでも良いし、図１３のように、断面がＬ型のアングルでも良い。
鋼材４０は、鉛直方向に一定の間隔で貫通孔４１が設けられている。
【００５４】
アンカーボルトの高さ調整用の鋼材４０は、アンカーボルト支持装置のベース部に立設する支柱部材２０との連結に際して、アンカーボルトの高さを調整できる。
つまり、アンカーボルトの高さ調整用の鋼材４０を、支柱部材（Ｌ型アングル）２０に重ね合わせ、支柱部材２０に形成されたボルト貫通用の孔と、アンカーボルトの高さ調整用の鋼材に設けられた貫通孔４１とを合わせてボルトとナットで締結する。
アンカーボルトの高さ調整用の鋼材４０には、予め鉛直方向に一定の間隔で貫通孔４１が設けられているため、任意の貫通孔（高さ）の位置でボルトとナットを使い、支柱部材２０と連結することができる。
このようにして、支柱部材２０との連結の際に、予め一定の間隔で設けられた貫通孔４１の位置によって、溶接を使わずに、アンカーボルト調整治具１０の高さ、つまりアンカーボルト１４の高さを調整できる。
【００５５】
しかし、この場合の高さ調整は、アンカーボルトの高さ調整用の鋼材４０に設けられた貫通孔４１の位置によってしかできない。
現場では、もっと小さい範囲でアンカーボルトの高さ調整を行う必要がある。
そこで、ボルト３０によるアンカーボルトの高さ調整を可能にするため、アンカーボルト調整治具１０の鋼材１１の水平面１１ｂに貫通孔を形成し、この貫通孔にアンカーボルトの高さ調整用のボルト３０を挿通している。
【００５６】
ボルト３０は、貫通孔を螺進させると鉛直方向に移動する。
このように、ボルト３０を鉛直上方向に移動させると、ボルト３０はアンカーボルト１４の下端側から、アンカーボルト１４を鉛直上方向に押し上げることになる。
この押し上げによって、アンカーボルト１４の鉛直方向の位置（高さ）を調整でき、ボルト３０を螺進させるだけで、無段階に高さ調整できる。
ボルト３０は、全ネジボルトや、スタッドボルトを用いることができる。
【００５７】
以上のとおり、本発明に係るアンカーボルト調整治具は、アンカーボルトの大きさ、太さにかかわらず使用でき、また、アンカーボルトが１本の場合のみならず、２本以上でも、１個のアンカーボルト調整治具のみで足りる。
例えば、２本のアンカーボルトに対しては、図１４のように、水平方向に長い鉛直面１１ａと水平面１１ｂを有する鋼材１１からなる１個のアンカーボルト調整治具によって、アンカーボルト１４それぞれを屈曲ボルト１２とナット１３で締結する。
例えば、３本のアンカーボルトに対しては、それらのアンカーボルト１４の軸が同一直線上にあれば図１４と同様に水平方向に長い鉛直面１１ａと水平面１１ｂを有する鋼材１１からなる１個のアンカーボルト調整治具を用いることができるし、それらのアンカーボルト１４の軸が同一直線上に無い場合でも、例えば、図１５のように、水平方向に長い鉛直面１１ａと水平面１１ｂを有する鋼材１１が直角に屈曲した形状からなる１個のアンカーボルト調整治具を用いることができる。
図１４、１５のいずれのアンカーボルト調整治具も、水平面１１ｂの下面側にアンカーボルトの高さ調整用の鋼材４０を垂設できる。
また、図１４、１５のいずれのアンカーボルト調整治具も、アンカーボルト下端部１４と、アンカーボルト調整治具の鋼材１１との間に、スペーサー１５を介在させることもでき、さらに、鋼材１１の水平面１１ｂにアンカーボルト高さ調整用のボルト３０を貫通させておき、ボルト３０によって、アンカーボルト支持装置に立設させた支柱部材２０との連結をすることもできるし、ボルト３０によって、アンカーボルト１４の高さ調整を行うこともできる。
また、図１４、１５の実施例におけるアンカーボルト調整治具は、屈曲ボルト１２を挿通させる孔は、ボルト１２の先端（ネジ部）をそれぞれ挿通させる孔を個々に形成することもできるし、長孔を形成し、複数のボルト１２の先端（ネジ部）を同じ孔に挿通させることもできる。
長孔を形成したり、複数の孔を形成しておくことで、アンカーボルトの本数や径の太さに影響されず、予め用意した１のアンカーボルト調整治具のみを使用することができる。
【００５８】
以上の形態からなるアンカーボルト調整治具によれば、打設した基礎コンクリートがアンカーボルトの全体に付着すると共に、アンカーボルト調整治具とアンカーボルトの隙間にも入り込んで付着耐力を向上させ、垂直力、特に引き抜き力に対する支持力を増強させることが可能である。
このアンカーボルト調整治具は、アンカーボルト支持装置に立設する支柱部材に連結することができ、これによって、径や本数が異なる種々のアンカーボルトに対してもアンカーボルトの設置位置の調整が容易にできるアンカーボルト支持装置を提供できる。
アンカーボルトの下端部を挟持したアンカーボルト調整治具は、アンカーボルト支持装置から立設する支柱部材に対して、溶接やネジ留め等の方法で固着させることもできる。
【符号の説明】
【００５９】
１０  アンカーボルト調整治具
１１  鋼材
１１ａ  鋼材の鉛直面
１１ｂ  鋼材の水平面
１２  屈曲ボルト
１３  ナット
１４  アンカーボルトの下端部（アンカーボルト）
１５  スペーサー
１６  矯正部材
２０  支柱部材
２１  フレーム
３０  （アンカーボルトの高さ調整用の）ボルト
３１  ナット
３２  屈曲ボルト
４０  （アンカーボルトの高さ調整用の）鋼材
４１  貫通孔
【図１】
0006556464.tif 000002
【図２】
0006556464.tif 000003
【図３】
0006556464.tif 000004
【図４】
0006556464.tif 000005
【図５】
0006556464.tif 000006
【図６】
0006556464.tif 000007
【図７】
0006556464.tif 000008
【図８】
0006556464.tif 000009
【図９】
0006556464.tif 000010
【図１０】
0006556464.tif 000011
【図１１】
0006556464.tif 000012
【図１２】
0006556464.tif 000013
【図１３】
0006556464.tif 000014
【図１４】
0006556464.tif 000015
【図１５】
0006556464.tif 000016